(57)【要約】      （修正有）【課題】ＵＳＢ端子入力を利用した電圧変換（昇圧）コントロール機能と正、負の極性変換の切り替え機能を持つＵＳＢ電圧変換アダプターを提供する。【解決手段】ＵＳＢ入力端子１と出力端子５の間に、集積回路素子で構成されたＤＣ−ＤＣコンバータ昇圧回路を組み込み、制御素子を外部に取り付けたことを特徴とし、さらにＵＳＢ入力端子１から出力された５Ｖの電圧をＤＣ−ＤＣコンバータ昇圧回路によって昇圧すること、また、電子回路盤を組み込んだコネクターと外付けコントローラーを有することを特徴とする。【選択図】図１
0003182413.tif 000002
【実用新案登録請求の範囲】
【請求項１】
ＵＳＢ端子入力を利用し、電圧変換（昇圧）コントロール機能を持ち、且つ、正、負の極性変換の切り替えを有しているＵＳＢアダプター。
【考案の詳細な説明】
【考案の詳細な説明】
【技術分野】
【０００１】本考案は、ＵＳＢ端子入力を利用した電圧変換（昇圧）コントロール機能と正、負の極性変換の切り替え機能を持つＵＳＢアダプターに関する。
【背景技術】
【０００２】従来、多くの電気製品はコンセントで電源を確保していた。
またＵＳＢ端子を利用した製品が数多くある。
【考案の概要】
【考案が解決しようとする課題】
【０００３】コンセントから電源を確保する場合、いくつかの問題点がある。１つは場所を問われるということ。
もう１つは、数に限りがあるということである。また、延長コードなどを利用し、差し込み口を増やした場合にはいろいろなアダプターでコードが邪魔になるし、見た目も悪い。そして最後に、コンセントに差し込んでいる状態であれば、その電気製品を使用していないときでも電流が絶えず流れてしまうことである。
【課題を解決するための手段】
【０００４】本考案はパソコンや携帯充電器などのＵＳＢ端子入力を利用し、変圧機と電源のオン、オフ、（＋−）極性変換、電圧（パワー）の切り替えができるコントローラーを有しているＵＳＢアダプターを実現し、上記課題を解決するものとする。
【考案の効果】
【０００５】  本考案のアダプターはＵＳＢがあればどこでも接続でき、コンセントがないところでも場所を選ばず使用できる。５〜１３Ｖまでの電圧を無段階で出力できるのため、入力電圧（５〜１３Ｖ）電気製品に対応できる。
また、出力する極性＋（プラス）−（マイナス）切り替え可能なため、直流モーターの（正、逆）回転とスピード調整も可能、よって、経済的かつ、実用的である。
また、今まで普通の電気製品からでは取れなかった中間の電圧、例えば６〜７．５Ｖの間の電圧なども取れるので、商品開発の実験等にも多くの利用が期待できる。
コンセント要らずで、コンパクトですっきりした作りなので、パソコンの周辺機器やデスク周りで混雑しがちな配線もすっきり片付き、また余分なエネルギーや無駄なエネルギーを使わないため、省エネや節電に繋がる。
【図面の簡単な説明】
【０００６】
【図１】本考案に係わるＵＳＢアダプターの接続図である。
【図２】ＵＳＢコネクター（変圧器）の内部図である。
【図３】電圧調整ダイヤル部コントローラーの内部図である。
【図４】電圧調整ダイヤル部コントローラーの裏面部内部図である。
【図５】電圧変換ＩＣを利用した直流昇圧回路の具体的な電流回路図である。
【図６】アダプター出力端子拡張機能。
【考案を実施するための形態】
【実施例】
【０００７】以下使用方法を説明する。図１に示すようにＵＳＢコネクター（昇圧回路含む）▲２▼をパソコンのＵＳＢ端子、または携帯用充電器などのＵＳＢ端子▲１▼に挿入して利用する。アダプター出力端子▲５▼を電気機器（負荷）に接続。▲３▼のダイヤル（可変抵抗）を調整すると出力電圧５Ｖ〜１３Ｖの電圧調整が可能。▲４▼のスイッチの切り替えにより、出力端子の（＋−）極性変換ができる。【０００８】  ＵＳＢ端子があればどんな場所でも使用可能なほか、コンパクトでもち運びにも大変便利である。例えば、一人１台以上携帯電話を保有する現代、携帯予備バッテリーでも本考案のＵＳＢアダプターが使用できる。よって、利便性、実用性が高くなるといえる。アダプター出力端子部分を変えれば、多くの機器に本考案のＵＳＢアダプターが利用でき、コンパクト化、軽量化、そして省エネ効果が期待できる。
【符号の説明】
【０００９】１…ＵＳＢ端子
２…ＵＳＢコネクター（変圧器）
３…電圧調整ダイヤル部コントローラー
４…ＯＮ、ＯＦＦと極性変換スイッチ
５…出力端子
【図１】
0003182413.tif 000003
【図２】
0003182413.tif 000004
【図３】
0003182413.tif 000005
【図４】
0003182413.tif 000006
【図５】
0003182413.tif 000007
【図６】
0003182413.tif 000008
【手続補正書】
【提出日】平成24年9月10日(2012.9.10)
【手続補正１】
【補正対象書類名】明細書
【補正対象項目名】全文
【補正方法】変更
【補正の内容】
【考案の詳細な説明】
【考案の詳細な説明】
【技術分野】
【０００１】本考案は、ＵＳＢ端子入力を利用した電圧変換（昇圧）コントロール機能と正、負の極性変換の切り替え機能を持つＵＳＢアダプターに関する。
【背景技術】
【０００２】従来、多くの電気製品はコンセントで電源を確保していた。しかしながら、現在では、携帯の充電器等ＵＳＢ端子を利用した製品が数多くある。
【考案の概要】
【考案が解決しようとする課題】
【０００３】コンセントから電源を確保する場合、いくつかの問題点がある。１つは場所を問われるということ。また、現在市販のＵＳＢアダプタでは、５Ｖに固定されており電圧変換が出来ない。もう１つは、コンセントの数に限りがあるということである。また、延長コードなどを利用し、差し込み口を増やした場合にはいろいろなアダプターでコードが邪魔になるし、見た目も悪い。そして最後に、コンセントに差し込んでいる状態であれば、その電気製品を使用していないときでも電流が絶えず流れてしまうことである。
【課題を解決するための手段】
【０００４】本考案はパソコンや携帯充電器などのＵＳＢ端子入力を利用し、変圧機と電源のオン、オフ、（＋−）極性変換、電圧（パワー）の切り替えができるコントローラーを有しているＵＳＢアダプターを実現し、上記課題を解決するものとする。
【考案の効果】
【０００５】  本考案のアダプターはＵＳＢがあればどこでも接続でき、コンセントがないところでも場所を選ばず使用できる。５〜１３Ｖまでの電圧を無段階で出力できるのため、入力電圧（５〜１３Ｖ）電気製品に対応できる。
また、出力する極性＋（プラス）−（マイナス）切り替え可能なため、直流モーターの（正、逆）回転とスピード調整も可能、よって、経済的かつ、実用的である。
また、今まで普通の電気製品からでは取れなかった中間の電圧、例えば６〜７．５Ｖの間の電圧なども取れるので、商品開発の実験等にも多くの利用が期待できる。
コンセント要らずで、コンパクトですっきりした作りなので、パソコンの周辺機器やデスク周りで混雑しがちな配線もすっきり片付き、また余分なエネルギーや無駄なエネルギーを使わないため、省エネや節電に繋がる。
【図面の簡単な説明】
【０００６】
【図１】本考案に係わるＵＳＢアダプターの接続図である。
【図２】ＵＳＢコネクター（変圧器）の内部図である。
【図３】電圧調整ダイヤル部コントローラーの内部図である。
【図４】電圧調整ダイヤル部コントローラーの裏面部内部図である。
【図５】電圧変換ＩＣを利用した直流昇圧回路の具体的な電流回路図である。
【図６】アダプター出力端子拡張機能。
【考案を実施するための形態】
【実施例】
【０００７】以下使用方法を説明する。図１に示すようにＵＳＢコネクター（昇圧回路含む）▲２▼をパソコンのＵＳＢ端子、または携帯用充電器などのＵＳＢ端子▲１▼に挿入して利用する。アダプター出力端子▲５▼を電気機器（負荷）に接続。▲３▼のダイヤル（可変抵抗）を調整すると出力電圧５Ｖ〜１３Ｖの電圧調整が可能。▲４▼のスイッチの切り替えにより、出力端子の（＋−）極性変換ができる。【０００８】  ＵＳＢ端子があればどんな場所でも使用可能なほか、コンパクトでもち運びにも大変便利である。例えば、一人１台以上携帯電話を保有する現代、携帯予備バッテリーでも本考案のＵＳＢアダプターが使用できる。よって、利便性、実用性が高くなるといえる。アダプター出力端子部分を変えれば、多くの機器に本考案のＵＳＢアダプターが利用でき、コンパクト化、軽量化、そして省エネ効果が期待できる。
【符号の説明】
【００９】１…ＵＳＢ端子
２…ＵＳＢコネクター（変圧器）
３…電圧調整ダイヤル部コントローラー
４…ＯＮ、ＯＦＦと極性変換スイッチ
５…出力端子
【手続補正書】
【提出日】平成24年11月30日(2012.11.30)
【手続補正１】
【補正対象書類名】実用新案登録請求の範囲
【補正対象項目名】全文
【補正方法】変更
【補正の内容】
【実用新案登録請求の範囲】
【請求項１】
ＵＳＢ入力端子と出力端子の間に、集積回路素子で構成されたＤＣ−ＤＣコンバータ昇圧回路を組み込み、制御素子を外部に取り付けたことを特徴とするＵＳＢ電圧変換アダプター。
【請求項２】
ＵＳＢ入力端子から出力された５Ｖの電圧をＤＣ−ＤＣコンバータ昇圧回路によって昇圧することを特徴とする請求項１記載のＵＳＢ電圧変換アダプター。
【請求項３】
電子回路盤を組み込んだコネクターと外付けコントローラーを有することを特徴とする請求項１記載のＵＳＢ電圧変換アダプター。